(57)【要約】【課題】  画像形成装置の持ち運び移動時に、開閉部が不意に開かないようにする。また、画像形成装置の梱包移動時に、補助部材を用いることなく開閉部が不意に開かないようにする。【解決手段】  画像形成装置１は、画像形成装置本体１０と複数の取っ手５０とを備えている。画像形成装置本体１０は、フレーム２０と開閉部３１とを有している。複数の取っ手５０は、画像形成装置本体１０のフレーム２０に装着されている。複数の取っ手５０は、それぞれが画像形成装置本体１０に収納された状態の収納位置と収納位置から画像形成装置本体１０の外方に引き出された状態の引き出し位置とを取りうるようになっている。複数の取っ手５０の少なくとも１つ５１は、引き出し位置において開閉部３１を固定しており、引き出し位置から回転された回転位置において開閉部３１を固定しかつフレーム２０に固定されている。【選択図】      図１０
2005208508.tif 000002
【特許請求の範囲】
【請求項１】
フレームと前記フレームに開閉可能に装着される開閉部とを有する画像形成装置本体と、
前記画像形成装置本体に収納可能なように前記フレームに装着され、それぞれが前記画像形成装置本体に収納された状態の収納位置と前記収納位置から前記画像形成装置本体の外方に引き出された状態の引き出し位置とを取りうる複数の取っ手と、
を備え、
複数の前記取っ手の少なくとも１つは、前記引き出し位置において前記開閉部を固定する、
画像形成装置。
【請求項２】
前記取っ手は、前記画像形成装置本体の両側面それぞれに一対づつ配置されている、請求項１に記載の画像形成装置。
【請求項３】
複数の前記取っ手は棒状に形成されており、前記フレームは複数の前記取っ手を装着するための複数の装着部を有しており、
前記取っ手は前記装着部において取っ手軸の方向に摺動可能になっている、
請求項１又は２に記載の画像形成装置。
【請求項４】
複数の前記取っ手の少なくとも１つは、前記取っ手軸から離反する方向に突出して形成された第１フックを有しており、
前記開閉部は、前記引き出し位置において前記第１フックを係止可能に形成された第１固定部を有している、
請求項３に記載の画像形成装置。
【請求項５】
フレームと前記フレームに開閉可能に装着される開閉部とを有する画像形成装置本体と、
前記画像形成装置本体に収納可能なように前記フレームに装着され、それぞれが前記画像形成装置本体に収納された状態の収納位置と前記収納位置から前記画像形成装置本体の外方に引き出された状態の引き出し位置とを取りうる複数の取っ手と、
を備え、
複数の前記取っ手の少なくとも１つは、前記引き出し位置において前記開閉部を固定し、前記引き出し位置から回転された状態の回転位置において前記開閉部を固定しかつ前記フレームに固定される、
画像形成装置。
【請求項６】
前記取っ手は、前記画像形成装置本体の両側面それぞれに一対づつ配置されている、請求項５に記載の画像形成装置。
【請求項７】
複数の前記取っ手は棒状に形成されており、前記フレームは複数の前記取っ手を装着するための複数の装着部を有しており、
前記取っ手は前記装着部において取っ手軸の方向に摺動可能になっている、
請求項５又は６に記載の画像形成装置。
【請求項８】
複数の前記取っ手の少なくとも１つは、前記取っ手軸から離反する方向に突出して形成された第１フックと、前記取っ手軸周りに前記第１フックと所定の角度を有するように前記取っ手軸から離反する方向に突出して形成された第２フックとを有しており、
前記開閉部は、前記引き出し位置において前記第１フックを係止可能かつ前記回転位置において前記第２フックを係止可能に形成された第１固定部を有しており、
前記フレームは、前記回転位置において前記第１フックを係止可能に形成された第２固定部を有している、
請求項７に記載の画像形成装置。
【請求項９】
複数の前記取っ手の少なくとも１つは、前記取っ手軸まわりの回転範囲に応じて前記取っ手軸から離反する方向に突出して形成された第３フックを有しており、
前記開閉部は、前記引き出し位置において前記第３フックの一部を係止可能かつ前記回転位置において前記第３フックの他部を係止可能に形成された第３固定部を有しており、
前記フレームは、前記回転位置において前記第３フックの前記一部を係止可能に形成された第４固定部を有している、
請求項７に記載の画像形成装置。
【発明の詳細な説明】
【技術分野】
【０００１】
本発明は、画像形成装置、特に、取っ手を備えた画像形成装置に関する。
【背景技術】
【０００２】
複写機およびプリンタなどやこれら複合機に代表される画像形成装置は、主に、画像形成装置本体と複数の取っ手とを備えている（特許文献１）。画像形成装置本体は、フレームとフレームに開閉可能に装着される開閉部とを有している。複数の取っ手は、画像形成装置本体を持ち運び移動するために、画像形成装置本体のフレームに装着されている。画像形成装置を使用する場合、複数の取っ手は画像形成装置本体に収納されている（収納位置）。一方で、画像形成装置本体を持ち運び移動するような場合、複数の取っ手は画像形成装置本体の外方に引き出される（引き出し位置）。このように引き出された複数の取っ手を使用することで、画像形成装置本体を持ち運び移動することができる。
【特許文献１】特開２００３−１０７８２２号公報
【発明の開示】
【発明が解決しようとする課題】
【０００３】
この種の画像形成装置では、複数の取っ手が収納位置から引き出し位置まで引き出されることにより、運搬者が引き出し位置にある取っ手を使用して画像形成装置本体を持ち運び移動することができるようになっている。画像形成装置本体を持ち運び移動するときには、軽微な振動や外力によってカバー等の開閉部が不意に開きやすく、開閉部が開いたときの衝撃により画像形成装置本体が破損するおそれがある。また、開閉部が開いてしまうと、開閉部が周囲の障害物等に接触して、画像形成装置本体が破損するおそれもある。一方で、画像形成装置本体を梱包して運搬するときには、テープ等の補助部材を用いることで開閉部が運搬中に梱包内で不意に開いてしまわないような対策がなされている。この場合、運搬中に開閉部が梱包内で開かないようにすることができるものの、梱包を解いてテープ等の補助部材を取り外したときにテープ糊等の粘着物が画像形成装置本体に付着してしまうおそれがある。
【０００４】
本発明の課題は、画像形成装置を持ち運び移動するときに、開閉部が不意に開かないようにすることにある。
【０００５】
本発明の別の課題は、画像形成装置を梱包移動するときに、補助部材を用いることなく、開閉部が不意に開かないようにすることにある。
【課題を解決するための手段】
【０００６】
請求項１に係る画像形成装置は、画像形成装置本体と複数の取っ手とを備えている。画像形成装置本体は、フレームと開閉部とを有している。開閉部は、フレームに開閉可能に装着されている。複数の取っ手は、画像形成装置本体に収納可能なように画像形成装置本体のフレームに装着されている。複数の取っ手は、それぞれが画像形成装置本体に収納された状態の収納位置を取りうるようになっている。また、複数の取っ手は、それぞれが収納位置から画像形成装置本体の外方に引き出された状態の引き出し位置を取りうるようになっている。そして、複数の取っ手の少なくとも１つは、引き出し位置において開閉部を固定している。
【０００７】
この画像形成装置では、複数の取っ手それぞれが、画像形成装置本体の利用時に、画像形成装置本体に収納された状態の収納位置に配置される。複数の取っ手の少なくとも１つは、画像形成装置本体の持ち運び移動時や梱包移動時に、収納位置から画像形成装置本体の外方に引き出された状態の引き出し位置に配置される。このように引き出し位置に配置された取っ手は、少なくとも１つが引き出し位置において開閉部を固定する。
【０００８】
ここでは、複数の取っ手の少なくとも１つが引き出し位置において開閉部を固定しているので、画像形成装置本体の持ち運び移動時や梱包移動時に軽微な振動や外力が生じたとしても、開閉部が不意に開かないようにすることができる。これにより、持ち運び移動時において、開閉部が開いたときの衝撃により画像形成装置本体が破損しないようにすることができる。そして、開閉部が開いたときに、開閉部が周囲の障害物等に接触して、画像形成装置本体が破損しないようにすることもできる。また、梱包移動時においてはテープ等の補助部材を用いなくても開閉部が不意に開かないようにすることができるので、梱包を解いてテープ等の補助部材を取り外したときにテープ糊等の粘着物が画像形成装置本体に付着しないようにすることができる。
【０００９】
請求項２に係る画像形成装置では、請求項１に記載の画像形成装置において、取っ手が画像形成装置本体の両側面それぞれに一対づつ配置されている。この場合、運搬者は、画像形成装置本体の両側面それぞれに一対づつ配置された取っ手を使用することで、画像形成装置本体の移動を容易に行うことができる。なお、ここで使用された両側面という用語は、画像形成装置を利用するユーザを基準として、ユーザに面する略垂直面を前面、ユーザとは反対側の略垂直面を背面、ユーザ前方の略水平面を上面としたときの、その他の略垂直面を両側面として定義している。
【００１０】
請求項３に係る画像形成装置では、請求項１又は２に記載の画像形成装置において、複数の取っ手が棒状に形成されている。画像形成装置本体のフレームは、複数の取っ手を装着するための複数の装着部を有している。そして、取っ手が、装着部において取っ手軸の方向に摺動可能になっている。この場合、取っ手が棒状に形成されており、取っ手がフレームの装着部において取っ手軸の方向に摺動可能になっているので、取っ手を装着部から引き出して引き出し位置に容易に配置することができる。
【００１１】
請求項４に係る画像形成装置では、請求項３に記載の画像形成装置において、複数の取っ手の少なくとも１つが、取っ手軸から離反する方向に突出して形成された第１フックを有している。また、画像形成装置本体の開閉部は、引き出し位置において取っ手の第１フックを係止可能に形成された第１固定部を有している。この場合、引き出しにおいて、開閉部の第１固定部が取っ手の第１フックを係止可能に形成されている。このため、第１フックが第１固定部に係止されたときに、取っ手が開閉部を固定した状態にすることができる。これにより、複数の取っ手の少なくとも１つは引き出し位置において開閉部を確実に固定することができ、画像形成装置本体の持ち運び移動時や梱包移動時に軽微な振動や外力が生じたとしても、開閉部が不意に開かないようにすることができる。
【００１２】
請求項５に係る画像形成装置は、画像形成装置本体と複数の取っ手とを備えている。画像形成装置本体は、フレームと開閉部とを有している。開閉部は、フレームに開閉可能に装着されている。複数の取っ手は、画像形成装置本体に収納可能なように画像形成装置本体のフレームに装着されている。複数の取っ手は、それぞれが画像形成装置本体に収納された状態の収納位置を取りうるようになっている。また、複数の取っ手は、それぞれが収納位置から画像形成装置本体の外方に引き出された状態の引き出し位置を取りうるようになっている。そして、複数の取っ手の少なくとも１つは、引き出し位置において開閉部を固定している。また、複数の取っ手の少なくとも１つは、引き出し位置から回転された回転位置において開閉部を固定しかつフレームに固定されている。
【００１３】
この画像形成装置では、複数の取っ手それぞれが、画像形成装置本体の利用時に、画像形成装置本体に収納された状態の収納位置に配置される。複数の取っ手の少なくとも１つは、画像形成装置本体の持ち運び移動時や梱包移動時に、収納位置から画像形成装置本体の外方に引き出された状態の引き出し位置に配置される。このように引き出し位置に配置された取っ手は、少なくとも１つが引き出し位置において開閉部を固定する。引き出し位置に配置された取っ手は、少なくとも１つが、引き出し位置から回転された回転位置において開閉部を固定しかつフレームに固定される。
【００１４】
ここでは、複数の取っ手の少なくとも１つが引き出し位置において開閉部を固定しているので、画像形成装置本体の持ち運び移動時や梱包移動時に軽微な振動や外力が生じたとしても、開閉部が不意に開かないようにすることができる。これにより、持ち運び移動時において、開閉部が開いたときの衝撃により画像形成装置本体が破損しないようにすることができる。そして、開閉部が開いたときに、開閉部が周囲の障害物等に接触して、画像形成装置本体が破損しないようにすることもできる。また、梱包移動時においてはテープ等の補助部材を用いなくても開閉部が不意に開かないようにすることができるので、梱包を解いてテープ等の補助部材を取り外したときにテープ糊等の粘着物が画像形成装置本体に付着しないようにすることができる。
【００１５】
また、ここでは、複数の取っ手の少なくとも１つを引き出し位置から回転することで、複数の取っ手の少なくとも１つが回転位置において開閉部を固定しかつフレームに固定されている。このため、開閉部を取っ手の回転操作により容易に固定することができるとともに、取っ手を画像形成装置本体のフレームに容易に固定することができる。これにより、画像形成装置本体の持ち運び移動時や梱包移動時に軽微な振動や外力が生じたとしても、開閉部が不意に開かないようにすることができる。また、取っ手を画像形成装置本体のフレームに固定することで、画像形成装置本体の持ち運び運搬時や梱包運搬時に取っ手が画像形成装置本体に対して摺動移動しなくなるので、持ち運び移動や梱包移動を確実かつ安心して行うことができる。さらに、テープ等の補助部材を用いなくても、梱包移動時に開閉部が不意に開かないようにすることができるので、梱包を解いてテープ等の補助部材を取り外したときにテープ糊等の粘着物が画像形成装置本体に付着しないようにすることができる。
【００１６】
請求項６に係る画像形成装置では、請求項５に記載の画像形成装置において、取っ手が、画像形成装置本体の両側面それぞれに一対づつ配置されている。この場合、運搬者は、画像形成装置本体の両側面それぞれに一対づつ配置された取っ手を使用することで、画像形成装置本体の移動を容易かつ確実に行うことができる。なお、ここで使用された両側面という用語は、画像形成装置を利用するユーザを基準として、ユーザに面する略垂直面を前面、ユーザとは反対側の略垂直面を背面、ユーザ前方の略水平面を上面としたときの、その他の略垂直面を両側面として定義している。
【００１７】
請求項７に係る画像形成装置では、請求項５又は６に記載の画像形成装置において、複数の取っ手が棒状に形成されている。画像形成装置本体のフレームは、複数の取っ手を装着するための複数の装着部を有している。そして、取っ手が、装着部において取っ手軸の方向に摺動可能になっている。この場合、取っ手が棒状に形成されており、取っ手がフレームの装着部において取っ手軸の方向に摺動可能になっているので、取っ手を装着部から引き出して引き出し位置および回転位置に容易に配置することができる。
【００１８】
請求項８に係る画像形成装置では、請求項７に記載の画像形成装置において、複数の前記取っ手の少なくとも１つが第１フックと第２フックとを有している。第１フックは、取っ手の取っ手軸から離反する方向に突出して形成されている。第２フックは、取っ手の取っ手軸周りに第１フックと所定の角度を有するように取っ手軸から離反する方向に突出して形成されている。開閉部は第１固定部を有している。第１固定部は、引き出し位置において第１フックを係止可能かつ回転位置において第２フックを係止可能に形成されている。画像形成装置本体のフレームは第２固定部を有している。第２固定部は、回転位置において第１フックを係止可能に形成されている。
【００１９】
この場合、引き出し位置において、開閉部の第１固定部が複数の取っ手の少なくとも１つの第１フックを係止可能に形成されている。このため、第１フックが第１固定部に係止されたときに、複数の取っ手の少なくとも１つが開閉部を固定した状態にすることができる。また、回転位置において、開閉部の第１固定部が複数の取っ手の少なくとも１つの第２フックを係止可能に形成されている。そして、画像形成装置本体のフレームの第２固定部が、取っ手の第１フックを係止可能に形成されている。このため、第２フックが第１固定部に係止され、かつ第１フックが第２固定部に係止されたときに、複数の取っ手の少なくとも１つが開閉部を固定した状態および画像形成装置本体のフレームに固定された状態にすることができる。これらのことより、画像形成装置本体の持ち運び移動時や梱包移動時に軽微な振動や外力が生じたとしても、開閉部が不意に開かないようにすることができる。また、画像形成装置本体の持ち運び運搬時や梱包運搬時に取っ手が画像形成装置本体に対して摺動移動しなくなり、持ち運び移動や梱包移動を確実かつ安心して行うことができる。
【００２０】
請求項９に係る画像形成装置では、請求項７に記載の画像形成装置において、複数の取っ手の少なくとも１つが第３フックを有している。第３フックは、取っ手軸まわりの回転範囲に応じて、取っ手の取っ手軸から離反する方向に突出して形成されている。開閉部は第３固定部を有している。第３固定部は、引き出し位置において第３フックの一部を係止可能かつ回転位置において第３フックの他部を係止可能に形成されている。画像形成装置本体のフレームは第４固定部を有している。第４固定部は、回転位置において第３フックの一部を係止可能に形成されている。
【００２１】
この場合、引き出し位置において、開閉部の第３固定部が複数の取っ手の少なくとも１つの第３フックの一部を係止可能に形成されている。このため、第３フックの一部が第３固定部に係止されたときに、複数の取っ手の少なくとも１つが開閉部を固定した状態にすることができる。また、回転位置において、開閉部の第３固定部が複数の取っ手の少なくとも１つの第３フックの他部を係止可能に形成されている。そして、画像形成装置本体のフレームの第４固定部が、複数の取っ手の少なくとも１つの第３フックの一部を係止可能に形成されている。このため、第３フックの他部が第３固定部に係止され、かつ第３フックの一部が第４固定部に係止されたときに、複数の取っ手の少なくとも１つが開閉部を固定した状態および画像形成装置本体のフレームに固定された状態にすることができる。これらのことより、画像形成装置本体の持ち運び移動時や梱包移動時に軽微な振動や外力が生じたとしても、開閉部が不意に開かないようにすることができる。また、画像形成装置本体の持ち運び運搬時や梱包運搬時に取っ手が画像形成装置本体に対して摺動移動しなくなり、持ち運び移動や梱包移動を確実かつ安心して行うことができる。
【発明の効果】
【００２２】
本発明によれば、画像形成装置を持ち運び移動するときに、開閉部が不意に開かないようにすることができる。また、画像形成装置を梱包移動するときに、補助部材を用いることなく、開閉部が不意に開かないようにすることができる。
【発明を実施するための最良の形態】
【００２３】
図１から図３は、本発明の一実施形態による複写機１の前面図、右側面図、および上面図を示している。なお、本実施形態で使用される方向を示す用語は、複写機１を利用するユーザを基準として定義されている。たとえば、複写機１においては、ユーザに面する複写機の略垂直面を前面、ユーザとは反対側の略垂直面を背面、ユーザ前方の略水平面を上面、その他の左右の略垂直面を左側面および右側面として定義している。
【００２４】
複写機１は、主に、複写機本体１０と複数の取っ手５０とを備えている。複写機本体１０は、主に、フレーム２０（フレームの一部のみ図示：図４から図１２参照）と外装部３０とを有している。
【００２５】
フレーム２０は、図４から図１２に示すように、主に、フレーム本体２１と複数の取っ手５０を装着するための複数の装着部２２とを有している。フレーム本体２１は、第２固定部２３を有している。第２固定部２３は、後述する第１フック５３を係止可能なように形成されている。第２固定部２３は、図５および図７に示すように、凹部２３ａと突出部２３ｂとからなっている。突出部２３ｂは、凹部２３ａの開口側において開口隅角部に形成されている。突出部２３ｂは、たとえば、図７に示すように、凹部２３ａの開口上方からみて後述する前カバー３１（開閉部の一例）から離反した側の右側隅角部に矩形板状に形成されている。これにより、凹部２３ａの開口側には、前カバー３１側にＬ字状の隙間２３ｃが形成される。複数の装着部２２それぞれは、図５の正面視において、略Ｃ字形状（略コ字形状）に形成されている。この装着部２２は、上面部２２ａ、上面部２２ａの左端において上面部２２ａから下方に突出して形成された左面部２２ｂ、および上面部２２ａの右端において上面部２２ａから下方に突出して形成された右面部２２ｃ（左面部２２ｂに対向する面）からなっている。上面部２２ａ、左面部２２ｂ、および右面部２２ｃは、たとえば板状部材を折り曲げ加工することにより形成される。後述する外装部３０の前カバー３１右側近傍に配置される装着部２２には、図６および図１２に示すように、第１貫通孔２２ｄおよび第２貫通孔２２ｅが設けられている。第１貫通孔２２ｄは装着部２２の左面部２２ｂに形成されており、第２貫通孔２２ｅは装着部２２の右面部２２ｃに形成されている。第１貫通孔２２ｄは、たとえば上方に長い矩形状に形成されている。第１貫通孔２２ｄには、後述する第１フック５３を通過させるための連通部２２ｆが、後述する前カバー３１側に形成されている。第１貫通孔２２ｄの短辺は、後述する取っ手５０の対角長さより長くなるように形成されている。第２貫通孔２２ｅは、たとえば矩形状に形成されている。この第２貫通孔２２ｅの一辺は、後述する取っ手５０の対角長さより長くなるように形成されている。このような装着部２２は、左面部２２ｂおよび右面部２２ｃの下側、つまり左面部２２ｂおよび右面部２２ｃの突出側先端部においてフレーム本体２１に装着されている。
【００２６】
外装部３０は、フレーム２０の外側を覆うようにフレーム２０に装着されている。外装部３０には、前カバー３１（開閉部の一例）が含まれている。前カバー３１は、図１および図４に示すように、フレーム本体２１の前面側に配置されている。前カバー３１は、たとえば、図３に示すように、フレーム２０に開閉自在に装着されている。ここでは、前カバー３１が左端部を支点として右側が開閉可能になっている。前カバー３１は、図４に示すように、前カバー本体３２と第１固定部３３を有している。第１固定部３３は、前カバー３１が閉じられた状態で、前カバー３１右側のフレーム２０の装着部２２側に設けられている。第１固定部３３は、後述する第１および第２フック５３，５４を係止可能なように形成されている。この第１固定部３３は、立設部３３ａと係止部３３ｂとを有している。立設部３３ａは、前カバー３１が閉じられた状態で、前カバー本体３２の右側に設けられている。立設部３３ａは、板状部材により構成されており、前カバー本体３２とで中空部を形成している。係止部３３ｂは、立設部３３ａに設けられている。係止部３３ｂは板状に形成されており、板面が前カバー本体３２に略平行になるように立設部３３ａに一体に形成されている。
【００２７】
複数の取っ手５０は、それぞれが棒状たとえば矩形柱状に形成されている。複数の取っ手５０は、図１および図２に示すように、複写機本体１０に収納可能なようにフレーム２０に装着されている。複数の取っ手５０は、それぞれが複写機本体１０に収納された状態の収納位置と収納位置から複写機本体１０の外方に引き出された状態の引き出し位置とを取りうるようになっている（図４および図８参照）。取っ手５０は、複写機本体１０の両側面それぞれに一対づつ配置されている。複写機本体１０の各側面に配置された一対の取っ手５０は、所定の高さ位置において互いに所定の間隔を隔てて配置されている。一対の取っ手５０それぞれは、フレーム２０の装着部２２において取っ手５０軸の方向に摺動可能になっている。
【００２８】
複写機本体１０の右側面において前カバー３１側に配置される取っ手５１は、図４および図５に示すように、複写機本体１０に収納された状態の収納位置をとりうるようになっている。また、取っ手５１は、図８および図９に示すように、収納位置から複写機本体１０の外方に引き出された状態の引き出し位置を取りうるようになっている。さらに、取っ手５１は、図１０から図１２に示すように、引き出し位置から回転された状態の回転位置を取りうるようになっている。ここで、取っ手５１を取っ手軸まわりに回転することにより、取っ手５１は引き出し位置から回転位置へと位置状態が変化させられる。
【００２９】
取っ手５１は、図４から図６に示すように、取っ手本体５２と第１フック５３と第２フック５４と位置決め部５５とを有している。取っ手本体５２は、棒状たとえば矩形柱状に形成された部分である。取っ手本体５２は、フレーム２０の装着部２２における左面部２２ｂおよび右面部２２ｃに形成された第１および第２貫通孔２２ｄ，２２ｅに挿通され装着されている。第１フック５３は、取っ手５１の取っ手軸から離反する方向に突出して形成されている。ここでは、第１フック５３が、複写機本体１０の右側から見て、取っ手本体５２の左側に設けられている（図６参照）。第１フック５３は、たとえばＬ字形状に形成されている。第１フック５３は、図８、図１０および図１１に示すように、引き出し位置において前カバー３１の第１固定部３３を、回転位置においてフレーム本体２１の第２固定部２３を、係止することができるように、取っ手本体５２に装着されている。たとえば、Ｌ字形状の第１フック５３は、一端が複写機本体１０の右側面側を向くように他端において取っ手本体５２に装着されている。第２フック５４は、取っ手５１の取っ手軸周りに第１フック５３と所定の角度を有するように取っ手軸から離反する方向に突出して形成されている。ここで、第２フック５４が第１フック５３となす所定の角度は、たとえば、複写機本体１０の右側から見て、取っ手軸を中心に時計周りに約９０度に設定されている（図６参照）。つまり、第２フック５４は、複写機本体１０の右側から見て、取っ手本体５２の上側に設けられている（図６参照）。第２フック５４は、たとえば、Ｌ字形状に形成されている。第２フック５４は、図１０に示すように、回転位置において、前カバー３１の第１固定部３３を係止することができるように、取っ手本体５２に装着されている。たとえば、Ｌ字形の第２フック５４は、一端が複写機本体１０の右側面側を向くように他端において取っ手本体５２に装着されている。位置決め部５５は、取っ手５０を引き出し位置に位置決めするための部分である。位置決め部５５は、取っ手５０がフレーム２０に装着された状態で、第１又は第２フック５３，５４と複写機本体１０の側面との間に配置されている。ここでは、位置決め部５５は、第２フック５４と複写機本体１０の右側面との間に配置されている。この位置決め部５５は、たとえばボルト等からなっており、取っ手本体５２にねじ込まれている。
【００３０】
このような取っ手５１は、図４および図５に示すように、収納位置においては複写機本体１０に収納されている。収納位置では、取っ手５１の第１および第２フック５４と位置決め部５５とは、フレーム２０の装着部２２の左側に配置されている。図８に示すように、取っ手５１が収納位置から複写機本体１０の外方に引き出されると、第１および第２フック５３，５４と位置決め部５５とは取っ手本体５２とともに右側に移動する。そして、取っ手５１の位置決め部５５が装着部２２の左面部２２ｂに当接して取っ手５１が引き出し位置に位置決めされる。すると、取っ手５１の第１フック５３が前カバー３１の第１固定部３３の係止部３３ｂを係止した状態になる。図１０から図１２に示すように、取っ手５１が引き出し位置から取っ手軸まわりに回転されると、取っ手５１の第１フック５３は、凹部２３ａの開口側に形成されたＬ字形状の隙間２３ｃからフレーム本体２１の第２固定部２３の凹部２３ａ内に挿入され、回転位置に位置決めされる。すると、取っ手５１の第１フック５３は、突出部２３ｂによって凹部２３ａからの抜け出しが規制される。これにより、取っ手５１の第１フック５３はフレーム２０により係止された状態になる。このとき、取っ手５１の第２フック５４は、複写機本体１０の右側から見て取っ手本体５２の上側から取っ手本体５２の左側へと回転移動して、前カバー３１の第１固定部３３の係止部３３ｂに係合する。これにより、前カバー３１は取っ手５１の第２フック５４により係止された状態になる。
【００３１】
このように、本実施形態では、取っ手５１が引き出し位置において前カバー３１を係止して固定した状態にすることができる。このため、複写機本体１０の持ち運び移動時や梱包移動時に軽微な振動や外力が生じたとしても、前カバー３１が不意に開かないようにすることができる。これにより、持ち運び移動時において、前カバー３１が開いたときの衝撃により複写機本体１０が破損しないようにすることができる。そして、前カバー３１が開いたときに、前カバー３１が周囲の障害物等に接触して、複写機本体１０が破損しないようにすることもできる。また、梱包移動時においてはテープ等の補助部材を用いなくても前カバー３１が不意に開かないようにすることができるので、梱包を解いてテープ等の補助部材を取り外したときにテープ糊等の粘着物が複写機本体１０に付着しないようにすることができる。
【００３２】
また、取っ手５１は、引き出し位置から回転した回転位置において、前カバー３１を係止して固定した状態および複写機本体１０のフレーム２０に係止され固定された状態にすることができる。このため、前カバー３１を取っ手５１により容易に固定することができるとともに、取っ手５１を複写機本体１０のフレーム２０に容易に固定することができる。これにより、複写機本体１０の持ち運び移動時や梱包移動時に軽微な振動や外力が生じたとしても、前カバー３１が不意に開かないようにすることができる。また、取っ手５１を複写機本体１０のフレーム２０に固定することで、複写機本体１０の持ち運び運搬時や梱包運搬時に取っ手５１が複写機本体１０に対して摺動移動しなくなるので、持ち運び移動や梱包移動を確実かつ安心して行うことができる。さらに、テープ等の補助部材を用いなくても、梱包移動時に前カバー３１が不意に開かないようにすることができるので、梱包を解いてテープ等の補助部材を取り外したときにテープ糊等の粘着物が複写機本体１０に付着しないようにすることができる。
【００３３】
〔他の実施形態〕
（ａ）前記実施形態では、取っ手５１が取っ手本体５２と第１フック５３と第２フック５４とを有する場合の例を示したが、取っ手５１が引き出し位置において前カバー３１を係止して固定した状態と回転位置において前カバー３１を係止して固定した状態および複写機本体１０のフレーム２０に係止され固定された状態にすることができれば、第１フック５３と第２フック５４とを一体に形成するようにしても良い。たとえば、図１３に示すように、前記実施形態に示した第１フック５３と第２フック５４とを取っ手軸周りに連結するようなＬ字形状の連結部１５６を取っ手本体１５２に一体に形成すると、取っ手１５１は取っ手本体１５２と第３フック１５３と位置決め部１５５から構成される。このように、第１フック５３および第２フック５４とに代えて、第３フック１５３を取っ手本体１５２に形成すると、引き出し位置において、取っ手１５１の第３フック１５３の一部１６１が前カバーの第３固定部（第１固定部３３と同じ構成および形状）を係止する。これにより、引き出し位置において、取っ手１５１は前カバーを固定することができる。また、回転位置において、取っ手１５１の第３フック１５３の一部１６１がフレームの第４固定部（第２固定部２３と同じ構成および形状）に係止され、取っ手１５１の第３フック１５３の他部１６２が前カバーの第３固定部（第１固定部３３と同じ構成および形状）を係止する。これにより、回転位置において、取っ手１５１は、複写機本体１０のフレーム２０に固定された状態で、前カバーを固定することができる。この場合においても、前記実施形態と同様の効果を得ることができる。
【００３４】
（ｂ）前記実施形態と前記他の実施形態では、取っ手５１，１５１に位置決め部が設けられる場合の例を示したが、引き出し位置において取っ手５１，１５１の第１フック５３又は第３フック１５３の一部１６１を前カバーの第１固定部３３又は第３固定部に当接させて位置決めされるようにすれば、取っ手５１，１５１には必ずしも位置決め部を設ける必要はない。
【００３５】
（ｃ）前記実施形態では、突出部２３ｂが凹部２３ａの開口側において開口隅角部に矩形板状に形成される場合の例を示したが、突出部２３ｂの形状は、前記実施形態に限定されず、回転位置において取っ手５１の第１フック５３が凹部２３ａから抜け出さないようにすることができれば、どのようにしても良い。たとえば、図１４に示すように、突出部１２３ｂを凹部１２３ａの開口側において棒状に突出させるようにしても良い。このようにしても、凹部１２３ａの開口側には、取っ手５１の第１フック５３を第２固定部１２３の凹部１２３ａ内に挿入するための隙間１２３ｃを確保することができ、第１フック５３は突出部１２３ｂによって凹部１２３ａからの抜け出しを規制することができる。
【００３６】
（ｄ）前記実施形態では、取っ手５１が取っ手本体５２と第１フック５３と第２フック５４とを有している場合の例を示したが、取っ手５１が取っ手本体５２と第１フックとからなるような場合においても、取っ手５１は引き出し位置において前カバー３１を固定することができる。この場合、取っ手５１をフレーム２０に固定することはできないものの、複写機の持ち運び移動時や梱包移動時に、前カバーが不意に開かないようにすることができる。
【００３７】
（ｅ）前記実施形態では、本発明が複写機１に対して適用される場合の例を示したが、本発明は、複写機１だけでなく、プリンタおよびファクシミリなどやこれら複合機等の画像形成装置に対しても適用することができる。
【図面の簡単な説明】
【００３８】
【図１】本発明の一実施形態にかかる画像形成装置の一例である複写機の前面図。
【図２】前記複写機の右側面図。
【図３】前記複写機の上面図。
【図４】前カバーの開放側近傍でフレームに装着された取っ手を上方から見た図（収納位置）。
【図５】前記取っ手を前面から見た図（収納位置）。
【図６】前記取っ手を右側から見た図（収納位置）。
【図７】前記複写機のフレームに形成された第２固定部の斜視図。
【図８】前カバーの開放側近傍でフレームに装着された取っ手を上方から見た図（引き出し位置）。
【図９】前記取っ手を前面から見た図（引き出し位置）。
【図１０】前カバーの開放側近傍でフレームに装着された取っ手を上方から見た図（回転位置）。
【図１１】前記取っ手を前面から見た図（回転位置）。
【図１２】前記取っ手を右側から見た図（回転位置）。
【図１３】本発明の他の実施形態にかかる画像形成装置の一例である複写機の取っ手の斜視図。
【図１４】本発明の他の実施形態にかかる第２固定部の斜視図。
【符号の説明】
【００３９】
１                  複写機（画像形成装置）
１０                複写機本体（画像形成装置本体）
２０                フレーム
２１                フレーム本体
２２                装着部
２３，１２３        第２固定部
３０                外装部
３１                前カバー（開閉部）
３２                前カバー本体
３３                第１固定部
５０，５１，１５１  取っ手
５２，１５２        取っ手本体
５３                第１フック
５４                第２フック
５５，１５５        位置決め部
１５３              第３フック
１６１              第３フックの一部
１６２              第３フックの他部
【図１】
2005208508.tif 000003
【図２】
2005208508.tif 000004
【図３】
2005208508.tif 000005
【図４】
2005208508.tif 000006
【図５】
2005208508.tif 000007
【図６】
2005208508.tif 000008
【図７】
2005208508.tif 000009
【図８】
2005208508.tif 000010
【図９】
2005208508.tif 000011
【図１０】
2005208508.tif 000012
【図１１】
2005208508.tif 000013
【図１２】
2005208508.tif 000014
【図１３】
2005208508.tif 000015
【図１４】
2005208508.tif 000016